(57)【要約】      （修正有）【課題】缶胴体を装飾するための装置を提供する。【解決手段】印刷領域へ缶胴体を搬送するための缶胴体搬送機構、印刷領域内でブランケット印刷面を缶胴体と接触させるように構成されたブランケットホイール、および、ブランケットの印刷面と接触するように構成された印刷版３１を含み、合成インク画像が、各ブランケット印刷面上に形成されるとともに、印刷領域内でブランケット印刷面と缶胴体とが接触するときに缶胴体上に印刷されるように構成されたインクステーション。【選択図】図１３
2018199331.tif 000002
【特許請求の範囲】
【請求項１】
印刷領域へ缶胴体を搬送するための缶胴体搬送機構；
複数のブランケット区画と、各ブランケット区画に装着される、印刷面を有するブランケットとを含むブランケットホイールであって、前記印刷領域内でブランケット印刷面を缶胴体と接触させるように構成されたブランケットホイール；
複数のインクステーションであって、それぞれが、印刷面へインク画像を付与するために、通過するブランケットの印刷面と接触するように構成された印刷版を含み、合成インク画像が、各ブランケット印刷面上に形成されるとともに、印刷領域内でブランケット印刷面と缶胴体とが接触するときに缶胴体上に印刷されるように構成されたインクステーションを含み、
各ブランケットは、缶胴体の表面にポジ画像として印刷可能な、高さが低い又は高さが減少した領域に囲まれた第２の画像を含み、
印刷版は、前記の囲む領域全体が、ブランケットに印刷されない第１の画像の領域に存在するように構成されていることを特徴とする装置。
【請求項２】
缶胴体を装飾するための装置であって、：
印刷領域へ缶胴体を搬送するための缶胴体搬送機構；
複数のブランケット区画と、各ブランケット区画に装着される、印刷面を有するブランケットとを含むブランケットホイールであって、印刷領域内でブランケット印刷面を缶胴体と接触させるように構成されたブランケットホイール；
および、複数のインクステーションであって、それぞれが、印刷面へインク画像を付与するために、通過するブランケットの印刷面と接触するように構成された印刷版を含み、合成インク画像が、各ブランケット印刷面上に形成されるとともに、印刷領域内でブランケット印刷面と缶胴体とが接触するときに缶胴体上に印刷されるように構成されたインクステーションを含み、
少なくとも１つの前記インク・ステーションが、複数の印刷版であって、異なる印刷版が、連続する異なるブランケットの印刷面に接触するように構成された印刷版を含み、
印刷版を回転させるための駆動機構、および、印刷版の位置とインク画像が転写される予定のブランケットとを同期させるために、印刷版の回転速度を変更するための駆動機構制御装置をさらに含むことを特徴とする装置。
【請求項３】
前記駆動機構制御装置は、インク画像のブランケットへの転写後であって、インク・ステーションの正確な位置への次のブランケットの到着前に、印刷版の回転速度を減少させるように構成されている、請求項２に記載の装置。
【請求項４】
前記駆動機構は、ブランケットホイールから印刷版を選択的に後退させるようにさらに構成され、前記駆動機構制御装置は、インク画像のブランケットへの転写後に前記後退が実行され、回転速度を増加させるとともに、続いて回転速度を減少させて、次のブランケットがインク・ステーションの正確な位置に到着したときに、印刷版を、画像転写位置に復帰移動させるように構成される、請求項３に記載の装置。
【請求項５】
ブランケットの少なくとも１つが、ブランケットが接触する缶胴体に転写される、第２の画像を表わすその印刷面上の表面高さ変化を有し；
前記ブランケットまたは少なくとも印刷面を提供する前記ブランケットの層が、各ブランケット区画に着脱可能に装着され、各ブランケット及びまたはブランケット区画は、各ブランケット印刷面に対し、合成インク画像が第２の画像に対し正確に整列するように、ブランケットとブランケット区画とを正確に整列できるようにするための整列機能が設けられ、；
前記整列機能は、ブランケットの印刷面上に印刷された又は線引きされたものである、請求項１〜４のいずれか１項に記載の装置。
【請求項６】
ジグのような整列装置であって、当該ジグは、複数のブランケット区画のうちの１つのブランケット区画に着脱可能に装着され、当該ジグはさらに、各ブランケット印刷面に対し、合成インク画像が第２の画像に対し正確に整列するように、ブランケットとブランケット区画とを正確に整列させることができるようにするためにブランケットを位置決めすることが可能な整列表面を含んでいる、請求項５に記載の装置。
【請求項７】
各ブランケットは、ブランケット区画の表面上で、ブランケットホイールの周面に固定される、連続するブランケットベルトの区分を含む、請求項１−６に記載の装置。
【請求項８】
缶胴体を装飾する方法であって、：
印刷領域に缶胴体を搬送する工程；
複数のブランケット区画と、各ブランケット区画に装着される、印刷面を有するブランケットとを含むブランケットホイールを、前記印刷領域内でブランケット印刷面を缶胴体と接触させるために操作する工程
印刷面にインク画像を付与すべく、各印刷版を、通過するブランケットの印刷面と接触させるため、および各ブランケット印刷面上に合成インク画像を形成するために、複数のインク・ステーションを操作する工程を含み、
前記合成画像は、印刷領域内でブランケット印刷面と缶胴体とが接触するときに印刷され、
少なくとも１つのインクステーションは、異なる印刷版が連続する異なるブランケットの印刷面と接触するように形成された複数の印刷版を含み、
当該方法はさらに、印刷版を駆動して回転させる工程と、
印刷版の位置とインク画像が転写される予定のブランケットとを同期させるために、印刷版の回転速度を変えるための駆動を制御する工程とを含むことを特徴とする方法。
【請求項９】
缶胴体を装飾するための装置であって：
印刷領域に缶胴体を搬送するための缶胴体搬送機構；
複数のブランケット区画と、各ブランケット区画に装着される、印刷面を有するブランケットとを含むブランケットホイールであって、印刷領域内でブランケット印刷面を缶胴体と接触させるように構成されたブランケットホイール；
複数のインクステーションであって、それぞれが、印刷面へインク画像を付与するために、通過するブランケットの印刷面と接触するように構成された印刷版を含み、合成インク画像が、各ブランケット印刷面上に形成されるとともに、印刷領域内でブランケット印刷面と缶胴体とが接触するときに缶胴体上に印刷されるように構成されたインクステーションを含み、
ブランケットの少なくとも１つが、ブランケットが接触する缶胴体に転写される、第２の画像を表わすその印刷面上の表面高さ変化を有し；
前記ブランケットまたは少なくとも印刷面を提供する前記ブランケットの層が、各ブランケット区画に着脱可能に装着され、各ブランケット及びまたはブランケット区画は、各ブランケット印刷面に対し、合成インク画像が第２の画像に対し正確に整列するように、ブランケットとブランケット区画とを正確に整列できるようにするための整列機能が設けられ、；
前記整列機能は、ブランケットの印刷面上に印刷された又は線引きされたものを含み、
前記装置はさらに、ジグのような整列装置を含み、当該ジグは、複数のブランケット区画のうちの１つのブランケット区画に着脱可能に装着され、当該ジグはさらに、各ブランケット印刷面に対し、合成インク画像が第２の画像に対し正確に整列するように、ブランケットとブランケット区画とを正確に整列させることができるようにするためにブランケットを位置決めすることが可能な整列表面を含んでいることを特徴とする装置。
【請求項１０】
ブランケット印刷面上の前記表面高さ変化は、第２の画像のネガが、対応する缶胴体上に印刷されるような、第２の画像に対応する領域における高さの減少を含む、請求項９に記載の装置。
【請求項１１】
ブランケット印刷面上の前記表面高さ変化は、第２の画像のポジが対応する缶胴体上に印刷されるような、第２の画像に対応する相対的に高い領域を囲む領域における高さ減少を含む、請求項９または請求項１０に記載の装置。
【請求項１２】
各印刷版は、各ブランケット印刷面の一部のみに接触するように構成され、前記一部は、第２の画像に対応するものである請求項１１に記載の装置。
【請求項１３】
各ブランケットは多層構造を有し、ブランケット印刷面上の前記表面高さ変化は、上部層を一定領域除去することによって付与される請求項９〜１２のいずれか１項に記載の装置。
【請求項１４】
各インク・ステーションは、連続する異なるブランケットの印刷面に異なるインク画像を付与するように構成された２つまたはそれ以上の印刷版を含む、請求項９〜１３のいずれか１項に記載の装置。
【発明の詳細な説明】
【技術分野】
【０００１】
本発明は缶装飾装置および方法に関する。
【背景技術】
【０００２】
鋼およびアルミニウムの飲料用缶のような金属缶は、一般に、２つの部品で製造される。
第１の部分は、一体の底部を有する概略的に円筒状の容器本体を含み、絞り加工およびしごき加工を用いて、円形の金属板から形成される。第２の部分は、タブまたはリングプルが形成された端部を含む。
缶は、例えば飲料で満たされ、そして、前記端部が引き続き、接合工程を用いて、本体に固定される。
【０００３】
缶装飾装置は、缶胴体の外表面に装飾を施すための技術分野において公知である。
典型的な装飾装置は、缶胴体の充填前、および端部の接合前に、缶胴体に装飾を施すために使用される。
従来技術の装飾装置は、比較的複雑な装置であり、図１に概略的に図示される。図の左側に、共通の軸のまわりで回転する１セットのマンドレルを含む、缶胴体の搬送機構が示される。未印刷の、または「ブランク」の缶胴体が、マンドレル上に載せられる。その後、それらは回転して、缶胴体を接触させる印刷領域内へ入る。すなわち、各ブランケット区画を通じて、ブランケットホイール上に設けられたインク含有ブランケットの全面にわたり回転移動する。図１には、８枚のブランケットを含むブランケットホイールを示す。
【０００４】
図１がさらに、６つのインク・ステーションを示し、各々は、インク貯留部、印刷版（典型的にはその上に浮き彫りにされた画像を有する）、および、貯留部から印刷版へインクを均一に塗布することを保証するための送出機構を含んでいる。各ブランケットは、インク・ステーションを順に通過し、これにより、最後のインク・ステーションから離れるブランケットは、その印刷面上に形成された合成インク画像（この場合６色）を有する。この合成画像が、印刷領域で、缶胴体へ転写される。
図２はさらに、６色印刷工程を示し、そこでは、最初の５つのインク・ステーションが、単語「ＰＲＩＮＴ」の文字を、異なる色で順に塗布する。最終のインク・ステーション（赤インクを塗布）が、背景色をブランケットに塗布する。単語はブランケット上で裏返しに形成され、ブランケットの印刷面から缶胴体へ転写まで転写されたときに、その文字が正しく表示されることが認められるだろう。
【０００５】
ある生産ラインでは、缶胴体は、ベースコートであらかじめ被覆されてもよい。これは、缶胴体が缶装飾装置（図１）に入る前に乾燥される、白色ベースコートであってもよい。その後、装飾装置は、缶胴体のベースコート上に、色装飾を施す。ある場合には、ベースコートは透明なベースコートであってもよい。
【０００６】
最も普通の缶装飾装置は、異なる色（つまり、異なるインク・ステーションに対応する）を、缶胴体の重なり合わない領域に印刷する。しかしながら、１の色の上に他の色を重ねて色印刷すること、つまり、異なるインク・ステーションが、異なる色をブランケット上に重ね刷りすることは可能である。これは「ウェット・オン・ウェット」印刷と呼ばれる。
【０００７】
缶装飾装置は、特許文献１：ＷＯ２０１２／１４８５７６および特許文献２：ＵＳ３，７６６，８５１により詳細に述べられている。
【０００８】
現存する缶装飾装置は、共通のデザインを共有する缶を生産する上で非常に効率的である。１台の装飾装置で、毎分数千個の缶（例えば２４００）を製造することができる。さらに高い生産速度を、平行に配置した一対の装飾装置を効果的に使用する、いわゆる２重装飾装置を使用することによって、達成することも可能である。
【発明の概要】
【発明が解決しようとする課題】
【０００９】
飲料および他の缶詰めの企業は、例えば、印刷版を変更するために生産を中断する必要なしに、単一の生産ライン、つまり単一の装飾装置を使用して生産される缶の間に、ある程度のデザイン上の差別化を導入することを、非常に切望している。特に、企業は、混成された缶デザインを含む個別のパレットを生産することを特に切望している。
しかしながら、要求されるデザイン上の差別化は（缶全体のデザインと比べて）比較的小さいかもしれない、例えば、ある位置に特定の語句を印刷するという差別化であるかもしれないが、これを、商業生産ラインにおいて実現するのは、きわめて困難であることが分かった。
【課題を解決するための手段】
【００１０】
本発明の第１の態様によれば、缶胴体を装飾するための装置であって、：
印刷領域へ缶胴体を搬送するための缶胴体搬送機構；
複数のブランケット区画と、各ブランケット区画に装着される、印刷面を有するブランケットとを含むブランケットホイールであって、印刷領域内でブランケット印刷面を缶胴体と接触させるように構成されたブランケットホイール；
および、複数のインクステーションであって、それぞれが、印刷面へインク画像を付与するために、通過するブランケットの印刷面と接触するように構成された印刷版を含み、合成インク画像が、各ブランケット印刷面上に形成されるとともに、印刷領域内でブランケット印刷面と缶胴体とが接触するときに缶胴体上に印刷されるように構成されたインクステーションを含み、
少なくとも１つの前記インク・ステーションが、複数の印刷版であって、異なる印刷版が、連続する異なるブランケットの印刷面に接触するように構成された印刷版を含み、
印刷版を回転させるための駆動機構、および、印刷版の位置とインク画像が転写される予定のブランケットとを同期させるために、印刷版の回転速度を変更するための駆動機構制御装置をさらに含んでいる。
【００１１】
本発明の別の態様によれば、装置は、印刷領域へ缶胴体を搬送するための缶胴体搬送機構；
複数のブランケット区画と、各ブランケット区画に装着される、印刷面を有するブランケットとを含むブランケットホイールであって、前記印刷領域内でブランケット印刷面を缶胴体と接触させるように構成されたブランケットホイール；
複数のインクステーションであって、それぞれが、印刷面へインク画像を付与するために、通過するブランケットの印刷面と接触するように構成された印刷版を含み、合成インク画像が、各ブランケット印刷面上に形成されるとともに、印刷領域内でブランケット印刷面と缶胴体とが接触するときに缶胴体上に印刷されるように構成されたインクステーションを含む。
【００１２】
前記装置は、ブランケットの少なくとも１つが、ブランケットと接触する缶胴体へ転写される第２の画像を表わす、印刷面上の表面高さ変化を有するように構成される。
【００１３】
前記装置はさらに、複数個のブランケット区画の支持部または１のブランケット区画に対し着脱可能な、ジグのような整列装置を含む。ジグはさらに、各ブランケット印刷面に対し、合成インク画像が第２の画像に対し正確に整列するように、ブランケットとブランケット区画とを正確に整列させることができるようにするためにブランケットを位置決めすることが可能な整列表面を含んでいる
【００１４】
ジグの整列面は、その後方縁部（ｔｒａｉｌｉｎｇ  ｅｄｇｅ）とブランケット区画の機体側面とにおいてブランケットを支持し、後方縁部にぴったり合致し、その側方位置がジグの成形されたバーによって決定されるようになされた「単一の縁部」であってもよい。
【００１５】
あるいは、ジグは、ブランケットがその後方縁部と区画の機体側面とにおいて支持され、両方の縁部がぴったり合致するような「ダブルの縁部」であってもよい。
【００１６】
さらにまた別の実施形態では、ジグは「無縁部」であってもよく、ブランケットは、その後方縁部および区画の機体側面から離れて支持され、ブランケットのタイミングおよび側方位置の両者が、ジグの成形された「バー／停止部」によって決定される。
【００１７】
整列装置は、ジグのような機械的装置に代えて、正確なブランケット位置を示すための、ブランケット区画上の１〜４本の罫書き線のような特徴を含むものでもよい。必要とされる位置に応じて、罫書き線の本数は、最小の１から最大の４までの間で選択される。
【００１８】
この実施形態では、罫書き線を、正確な位置を示すように、ブランケットとブランケット区画の両方に付与してもよい。理想的には、ブランケット・マークは、デザインに支障を与えることがないように、印刷可能領域の外側となるよう設定されなくてはならない。
【００１９】
整列装置は、浅浮彫りの部分内に位置決めピンを含んでもよく、これは、接着性を有する網状のブランケットの層に穿孔を形成する。穿孔は、ピンが突出せず、ブランケットが水平に着座するように、ブランケットの最上層まで通ってはならない。ピンと穿孔とは、好ましくは、缶の前縁上において缶が最初にブランケットと接触するポイントよりも、前方に位置する。
【００２０】
整列装置の最終形態は、非接触型整列装置を含むものであってもよい。これらのうちの１つは、「レーザー・カーテン」として知られ、正確な位置を示すために、１方向または互いに９０度をなす２つの方向に、高速に発振されるビームである。ビームは、理想的には、大気中では散乱を全く生じないという意味で「不可視」であるが、区画表面上にインジケータ線を生成するレーザーである。レーザー・カーテンの利点は、道具の必要性  および／又は、ブランケット区画へのマーキングや損傷を避けることができるということである。
【００２１】
第２の非接触型整列装置は、ブランケットを正確に装着及び／又は位置決めするための、磁気領域または磁場を使用する。第３の非接触型整列装置は、あらかじめ装着されたブランケットを備える取り外し可能なブランケット区画と、正確に整列されたオフマシーンとを含む。そして、整列「補助」は、区画が正確に再度装着されることができるように与えられる。非常に丈夫で、巧妙に設計された迅速解除機構が、これらの組み合わせの１２までの変更を実現可能にするために、この整列装置に必要とされる。
変更は、区画の一部、例えば最外表面の変更だけが必要であると信じられる。
【００２２】
本発明の典型的な実施態様は、ブランケット区画および各ブランケットを、例えば、隣接するブランケット区画およびブランケットどうしの間に空間を有するような、不連続のブランケット区画およびブランケットとして実現する。しかしながら、他の実施形態では、これらの構成要素の一方又は両方が、連続する構成要素の区域として、実現されてもよい。例えば、ブランケットがそれぞれ、ブランケット・ホイールの外周に沿って、ブランケット区画の表面上に固定された、連続的なブランケットベルト部分からなるものとしてもよい。
【００２３】
本発明の他の面については、添付の特許請求の範囲において述べられる。
【図面の簡単な説明】
【００２４】
【図１】従来技術に従う缶装飾装置を概略的に示す図である。
【００２５】
【図２】図１の装置を用いて実施される製造工程を概略的に示す図である。
【００２６】
【図３】ブランケットの印刷面に形成される第２の画像を利用する、改良された缶装飾工程を概略的に示す図である。
【００２７】
【図４】第２の画像のネガの印刷を可能にするために、エッチングされるか、または切り抜かれた第２の画像を有するブランケットを概略的に示す斜視図である。
【００２８】
【図５】ブランケットの印刷面に形成される第２の画像を利用して、第２の画像のポジを形成する、改良された缶装飾工程を概略的に示す図である。
【００２９】
【図６】第２の画像のポジの印刷を可能にするために、エッチングされ、または切り抜かれた第２の画像を有するブランケットを概略的に示す斜視図であり、図６ａは、ブランケットと、第２の画像のポジ形成用の印刷版とを概略的に示す図である。
【００３０】
【図７】図５のブランケットを使用して装飾された缶を概略的に示す図である。
【００３１】
【図８】ブランケット区画および装着されたブランケットを概略的に示す図であって、ブランケット区画には、整列マーキングが付与されている。
【００３２】
【図９】連続するブランケット・ベルトを含む改造された缶装飾装置を概略的に示す図である。
【００３３】
【図１０】ブランケット付勢機能を導入する改造された缶装飾装置を概略的に図である。
【００３４】
【図１１】図１０の装置に使用するブランケットを概略的に示す図である。
【００３５】
【図１２】缶装飾装置に使用する動的に変更可能な印刷版を概略的に示す図である。
【００３６】
【図１３】可変速の複数の印刷版用インク・ステーションを含む缶装飾装置を概略的に示す図である。
【００３７】
【図１４】型紙バンドを有する改造されたインク・ステーションを含む缶装飾装置を概略的に示す図である。
【００３８】
【図１５】インク除去ステーションを有する缶装飾装置を概略的に示す図である。
【発明を実施するための形態】
【００３９】
缶装飾装置は、図１および２を参照して、一般論が述べられている。装飾装置は、特に、次を含む；印刷領域（３）に順に缶胴体（２）を搬送するための缶胴体搬送機構（１）；ブランケット・ホイール（４）；および、一連のインク・ステーション（５）。缶装飾装置の他の構成要素は、当業者に公知であり、ここでは説明しない。むしろ、例えば特許文献３：国際公開ＷＯ  ２０１２／１４８５７６号公報および特許文献４：米国特許第３，７６６，８５１号明細書を含む従来技術の開示に言及しなくてはならない。
【００４０】
ブランケット・ホイール（４）についてさらに考察すると、これは、中心軸のまわりで回転するように構成され、それぞれにブランケット（７）が装着される１組のブランケット区画（６）を含む。ブランケットは通常、接着剤を使用して、ブランケット区画に取り外し可能に固定されたフレキシブルシートである。ブランケットは、例えば底部の網状部、中間の圧縮可能な層、およびゴムまたはエラストマーの表層（中間網状部を含む他の層が設けられてもよい）のような層状構造を有してもよい。ゴムまたはエラストマーの層の外側表面が、ブランケットの印刷面を形成する。摩耗により、ブランケットは、生産ラインの操作員によって、定期的に取り外され交換される。図１は単線の装飾装置を示すが、複線の装飾装置も知られ、それは、缶胴体の２つの平行なラインを同時に装飾できるものである。
【００４１】
前記で指摘したように、缶装飾装置に存在する問題は、少なくとも生産ラインを止めずに、および、例えばインク・ステーション（５）内の印刷版を交換せずに、与えられたライン内で装飾を変更することができないということである。この問題に取り組むために、印刷版によってブランケット（７）の印刷面上に形成される第１の装飾デザインまたは画像に、ブランケット（７）の印刷面（９）上の高さの変化を導入することによって形成される、１つ以上の第２の画像（８）を追加することが、ここで提案されている。この発想は、印刷面の高さが低くなっている領域に対するインクの付着を防ぎ、及び／又は、缶胴体上にインクが印刷されるのを防ぐこと（非接触によって）を意味する。この第２の画像（８）は、ブランケット・ホイール（４）上のブランケット間で変更してもよく、多数の異なる装飾デザインが、同一ライン内の異なる缶胴体上に、印刷されることを可能にする。図１の装飾装置を参照すると、この装置は、８つまでの異なるブランケット（７）を使用して、同一の生産ライン内で８つの異なるデザインを生産することが可能な、８つのブランケット区画（６）を含んでいる。
【００４２】
図３は、図１および図２の従来技術の装飾工程および装置に対しなされた改造を示す。インク・ステーション（５）および関連する印刷版が、通過するブランケット（赤い背景色を備える「ＰＲＩＮＴ」）上に、共通の多色合成画像（第１の画像）を生成する一方で、図示されたブランケットは、印刷面（９）内に、切り抜かれ又はエッチングされた（反転）テキスト「ＩＭＡＧＥ」（第２の画像）を有している。
赤インクは、この切り抜かれ又はエッチングされた領域に付着しない。［注：ブランケット印刷面への非接着性によって印刷版上に残存する、すべてのインクを均一化するか除去するために、インク・ステーション内のインク着けローラーの改造が必要とされるが、そのような改造の形態は、当業者においては即座に明白となるであろう］。ブランケット（７）が印刷領域（３）内で缶胴体（２）と接触させられるときに、第１の画像（つまり赤い背景を備えた「ＰＲＩＮＴ」）が、缶胴体（２）上に印刷される。しかしながら、缶胴体における切り抜かれた又はエッチングされた第２の画像が存在する箇所には、赤インクは印刷されず、画像「ＩＭＡＧＥ」が、缶上に、印刷されない領域、すなわちネガとして、現わされる。
【００４３】
図４は、切り抜かれるか又はエッチングされた領域（「ＩＭＡＧＥ」）を有するブランケット（７）の斜視図である。このテキストは、完全にブランケット全体を通じて除去又はエッチングすることにより、あるいは、１つ以上の上部側の層を通して除去又はエッチングする（少なくとも途中まで）ことにより形成してもよい。ブランケット（７）は同様に、単一の薄い層を切断し、この層をブランケットの裏打ち材に接着することにより形成してもよい。そのような構成は、裏打ち材がブランケット区画に長期間、装着され続け、最上層だけがより頻繁に脱着されるのを可能にする。
【００４４】
図５は、図６に示されるブランケットを使用する別の工程を示す。これは、第２の画像（「ＩＭＡＧＥ」）が、ネガとして現れるのではなく、ポジ画像として缶胴体上に印刷されることを可能にする。図６を参照すると、印刷面上の高さ変化は、第２の画像（８）を、より低いか高さが減少した周囲の領域（１０）の中で、島状に位置させるものである。この印刷面構造は、全体的な第１の画像エリアに対するのと同様に、第２の画像の上部表面にインクを付着させるように構成されるものであるが、第２の画像を囲むそれらの領域（１０）に直ちに付着させるものではない。図５を参照すると、缶胴体上の第２の画像（「ＩＭＡＧＥ」）を囲む長方形の領域（１１）は、未印刷の状態である。
【００４５】
図６に示されるブランケット（７）だけが、インクの付着が必要な小領域（単語「ＩＭＡＧＥ」）を有していることに注意すべきである。インクを付着するステーションで通常のインクローラを使用する場合、ブランケット（７）全体にインクが塗布され、これが缶に転写されるだろう。もしポジ画像のみが必要なら場合、これは不適当である。これに対処するために、図６ａに示されるようなシステムが提案される。第２の画像（８）は、インクの付着が必要とされる唯一の領域である。印刷版（６２）の要素（６１）は、インク供給面あるいは「インク台」として使用される。上方の要素（６１）がインクを取り込み、これを、ブランケット全体ではなく、ブランケット上のポジ画像（８）だけに塗布する。上方の要素（６１）の動作は、切り抜かれたブランケットの浮き彫り要素に対応するように設定され登録される。この上方の要素（６１）は、切り抜きの外側のブランケット領域と干渉しないような大きさに設定される。
【００４６】
高さが減少した領域が、未印刷の第１のデザインの領域内全体に位置する場合、より魅力的なデザインを達成し得るかもしれない。これは図７に示される。ここで第２の画像「ＩＭＡＧＥ」は、第１の画像の全体的に印刷されていない「渦型（ｓｗｉｒｌ）」１２の内のデザイン内に現われる。
【００４７】
従来技術の装飾装置においては、ブランケットは缶胴体よりも大きな面領域を有しているので、ブランケットとブランケット区画との正確な整列が不要であることに留意する。インクステーションは、合成画像が、印刷領域および提供された缶胴体に対するブランケット上の正確な位置に現わされるように、整列される。しかしながら、ブランケット（７）上に第２の画像を導入するには、ブランケット（７）とブランケット区画（６）との間の正確な整列の必要性が生じる。そのような整列が達成されなければ、第２の画像（８）は、缶胴体（２）の不正位置に現わされるであろう。したがって、ブランケットとブランケット区画との整列機能が設けられなくてはならない。これらの機能は、ブランケット区画の長さ方向に沿ったブランケットの長手方向の整列と、ブランケット区画のまわりの正確な角度の整列、すなわちブランケットの「捻れ」を防ぐことを、考慮に入れるべきである。上に概説されるように、整列は、整列機能に加えて、整列装置を使用することよって、さらに確実になる。整列装置の１つの例はジグであり、単一の縁部、２つの縁部、または、無縁部のものである。
【００４８】
図８に、ブランケット・ホイール（４）のブランケット区画（６）に対し整列されたブランケット（７）が示される。ブランケット区画（６）には、ブランケット（７）の各角部に対応する４つの位置合わせマーク（１４ａ−ｄ）からなる１組が設けられている。ライン操作員が、ブランケットの４つの角がそれぞれの位置合わせマークと一致するように、ブランケットをブランケット区画に装着するのを担当する。これに代えて、あるいは、これに加えて、整列機能を、ブランケットの印刷面あるいは端縁部に設けてもよい。
【００４９】
選択的または付加的な構成として、ジグ（１４ｅ）が示される。ジグ（１４ｅ）は、操作員によってブランケット区画（６）に一時的に配置することができる構造である。図８に示されるジグ（１４ｅ）は、新しいブランケット（７）が装着されるときに、ブランケット区画（６）の末端面に操作員が押しつける単純な構成である。ジグの第１の面（１４ｆ）は、ブランケット区画（６）の対応面に接する。そして操作員が、ｊｉｇ（１４ｅ）の第２の面（１４ｇ）に対し、ブランケット（７）の端縁を接触させることができる。したがって、このジグは、ブランケット（６）を、ブランケット区画（７）に対して正確に整列させることを可能にする「２つの縁部」を有している。
【００５０】
ブランケット区画の機能に応じて、様々な方法でブランケット区画に一時的に装着することができる、様々に異なったデザインのジグを使用できることが、容易に認められるだろう。例えば、ブランケット区画がブランケットの層に穿孔または開口を有している場合、整列装置またはジグに、それらの開口に挿入するための対応するピンまたは突起を設けることができる。
【００５１】
一旦、ブランケット（７）が、整列装置またはジグ（１４ｅ）を使用して、ブランケット区画（６）上に正確に整列され、ブランケット区画（６）も固定されたならば、ジグ（１４ｅ）は、取り外され、別のブランケット区画で別のブランケットを整列させるために再度使用することができる。
【００５２】
ここで図９を参照すると、前述の缶装飾装置において、別々の分離したブランケット（７）を、連続するブランケットロールまたはベルト（１５）に置き換えるように改造したものが示される。ブランケット・ホイール（４）に支持されるとともに、ブランケットロールが、３つの追加したローラ（１６）、（１７）および（１８）の周囲に延びている。これらのローラは、自由回転するものでもよく、あるいはブランケット・ホイールを回り、印刷領域（３）を通過するブランケットロールの動作を補助するように駆動されてもよい。ブランケットロールの長さは、ブランケットホイールの円周より十分に大きくなり得ることが認められるであろう。
【００５３】
この実施形態によれば、個々のブランケット（７）は、ブランケット・ベルト（１５）の連続する区画または領域（１９）として規定される。ただし、前記の実施形態とは矛盾しないように、第２の画像は、ブランケット（７）にエッチングされるか、そうでなければ組込まれる。たとえば、ブランケットは、接着剤を用いて、下側に位置する支持ベルトに固定するか、あるいは、このベルトと一体に形成することができる。ブランケット・ベルト（１５）の長さを決めることによって、比較的多数のブランケットが、このベルトによって規定される。この個数は、図１の装飾装置によって提供される異なるブランケットの個数（つまり８個）より、確実に多くなる。連続的なブランケット・ベルトを利用する装飾装置は、例えば、１５０の異なる第２の画像を、単一の生産ライン上で生産することが可能であろう。
【００５４】
複数の異なる第２の画像を印刷することを可能にするための、様々なブランケット印刷面の使用に対する多数の変更及び／又は付加について、以下に説明する。
【００５５】
（ブランケットの力変更）
図１０は、全体的に、図１を参照して説明したのと同様の工程および機構を含む第１の変形例を示す。
ブランケット（７）は、それらの印刷面に沿う方向に変化を持たない、つまり、それらの表面が平滑であることが想定されているが、そのようである必要はなく、例えば、ブランケット表面に第２の画像がエッチングされることが可能でもよい。複数のピストンまたは他の力付勢手段が、各ブランケット区画に組み込まれる。１つの代表的なピストン構成（２０）が、ブランケット区画（６）のうちの１つに位置している状態が、図１０に示される。
【００５６】
個々のピストン機構（２０）のピストン（２１）は、ブランケット（７）が印刷領域を通過するとき、すなわち缶印刷段階の間に、ブランケット（７）に径方向の内方への力を付与して、ブランケットとの固定領域を内側へ引き込んで、印刷領域から引き離すように構成され、操作される。内方への力がブランケットに作用される領域では、インクが缶表面に転写されない（あるいは、いくらかの最低の接触が生じた場合でも、「ぼやけた」画像が印刷されるだけであろう）。
図１１に示されるように、ブランケット上に６文字からなる１組を規定するために、ブランケット表面にインクが転写される例を想定する。これらの文字は、６つの代わりの第２の画像の１組を規定する。対応するブランケット区画のためのピストン構成は、それぞれの文字の背後に位置するように構成された６本のピストンの配列を含む。ブランケットが印刷領域に入ると、所定の５本のピストン（２１）からなる組が駆動されて、ブランケット印刷面の対応する領域を引っ張って、缶と接触しないようにする。これによって、文字のうちのただ１つ（例えば「Ａ」）が、缶の上に印刷される。次のブランケットが印刷領域に入ると、対応するピストン構成は、そのピストンのうちの５つからなる別の組を駆動し、第２の文字「Ｂ」だけの印刷を実行する。これが周期的に繰り返され、連続する缶は、それらの上に印刷された６文字のうちの１つが異なるようになる。ブランケットの他の領域は、すべての缶上に同じ第１の画像を印刷できるようするために、缶表面に関して恒久的に持ち上げられることが、認識されるであろう。
【００５７】
（可変印刷版）
図１〜８に関して記述された実施形態では、インク・ステーション（５）の各々は、その表面上に設けられた１つ以上の印刷版を有する「プレートシリンダー」（図示せず）を含んでいる。これらの印刷版は、それらの表面上に形成された（つまり、浮き彫りにされるかエッチングされた）定着画像を有する。印刷版の変更は、比較的時間を要する作業であり、必ず生産ラインを停止させる。生産中、あるいは非常に短い中断の間に、画像を変更することを可能にするため、動的に構成可能な印刷版が、１つまたはそれ以上のインク・ステーションに導入されてもよい。
【００５８】
図１２に示されるように、例えば、電気的に駆動され、個々に制御可能なピン（２６）の比較的大きなマトリックスを含む印刷版（２５）を考える。［注：図１２に示される印刷版は平滑であるが、実際には、プレートシリンダーの表面の回りを包むために湾曲するであろう］。ピン（２６）はそれぞれ、プレートシリンダーの表面に対して別々に昇降することができ、パターンを印刷版（２５）上に動的に「浮き彫り形成」することが可能である。図１２では、印刷版が、文字「Ｅ」を浮き彫りにしているのが示される。もちろん、上昇したピンは、下方から十分な強度で支えられ、印刷中にブランケットがその上を通過する間に、ピンに対して加えられる比較的大きい力に耐えることを可能にしている。典型的な生産工程では、ピンは、例えば、ブランケットホイールの各回転後に、再構成されてもよい。この手法では、一般的なブランケットより硬い表面を有するブランケットが必要であるかもしれない。もちろん、そのような動的に構成可能な印刷版（２５）は、１またはそれ以上のインク・ステーションに導入されてもよい。
【００５９】
（可変速度を備える複数印刷版インク・ステーション）
前記に示したように、従来技術では、異なる画像を連続するブランケットへ転写することを可能にするために、所定のインク・ステーションで２つの異なる印刷版をプレートシリンダー上に設けることが知られている。もちろん、所定の画像が缶の全表面を包含することができることを保証するためには、プレートシリンダーの円周は、一般的なプレートシリンダーの円周の少なくとも２倍でなければならない。そのような、より大きなプレートシリンダーには、缶装飾装置の重要なデザイン変更が明らかに必要である。単一のプレートシリンダー上に２つ以上の印刷版を収納しようとするのは、だんだん困難になる。
【００６０】
図１３は、この問題への可能な解決法を示し、インクステーションのうちの１つに、複数の印刷版（３１）（図示の例ではプレート１〜６として特定された６個）を収容するのに適当な標準の寸法（つまり、ブランケットのピッチに等しい円周を有する）のプレートシリンダー（３０）を組み込むことである。もし、プレートシリンダー（３０）がブランケットホイールとともに完全に自由回転できる場合（他のインク・ステーションのプレートシリンダーの場合のように）、１つ以上の印刷版（３１）が同じブランケットと接触することが引き起こされるであろうことが、疑いもなく、観察される。これは明らかに受け入れがたいものであり、それ故、それが起こるのを防ぐために、可変速ドライブ機構（３２）がプレートシリンダー（３０）に組み合わされる。この機構は、印刷中の印刷版と通過するブランケットとの相対位置に応じて、プレートシリンダを、ブランケットホイールに対し近づけ及び遠ざけるようにするために制御される。
【００６１】
この作用をより詳細に検討すると、印刷中、プレートシリンダー（３０）はその「通常」速度で回転する。所定の印刷版の後方端縁がブランケットに接するとき、プレートシリンダーは引っ込められる。残っている後続のブランケットどの領域も、このインク・ステーションによって、インクが付着しない状態に維持される。その後、駆動機構（３２）は、次の印刷版の位置を次に進むブランケットの位置に整列させるために、プレートシリンダ（今は、後退位置である）をわずかに速い速度で回転させる。その後、プレートシリンダーは、その通常速度まで速度を遅くし、印刷版（２）を次のブランケットと接触させるために、次のブランケットへ向かって移動する。［印刷シリンダーを内外に移動させ、かつシリンダーの加速および減速を達成するために要する時間を提供するために、スピードとタイミングとがわずかに変化することが認められる］。
【００６２】
次の印刷版を次のブランケットと整列させるためにプレートシリンダーを増速するのに変わる別の手段は、インク転写オペレーション間に、プレートシリンダーを減速することである。印刷版の間に、それによって、プレートとブランケットとを接触させない隙間が存在することが認められるだろう。これは、プレートまたはブランケットのいずれにも損傷を与えることなく、プレートシリンダーを遅くすることを可能にする。プレートシリンダーは、次のブランケットが所定位置に着く時間までに、先行の印刷版の後方縁部と次の印刷版との間の隙間が閉じられる程度まで、減速されるべきである。
【００６３】
（ステンシルによるインク転写）
図１４は、単一の缶生産ラインにおいて複数の第２の画像の変形例を印刷するための別の代替装置および工程をさらに示すものである。この装置では、ステンシル・ベルト（４０）がインク・ステーションのうちの１つに組み込まれる。ブランケットホイールに最も近い端部で、ステンシル・ベルトは、改造されたプレートシリンダーの回りを移動する。ブランケットホイールから遠い方の端部において、ステンシル・ベルトが第２の別の支持ローラの回りを移動する（それは自由回転可能でもよく、駆動されてもよい）。ステンシル・ベルトは、回転するブランケットホイールの回転方向とは反対の方向に、支持ローラのまわりを移動する。ステンシル、あるいは浮き彫りされ又はエッチングされたパターンが、ベルトの外表面上に、間隔をおいて離れて設けられる。このベルトの外表面が、一連のインクローラによって、インクを塗布するものである。パターンの間隔は、パターンが、インク・ステーションを通過する連続するブランケットに順番に表されるように設定される。ベルトは、金属基材上にステンシルまたはパターンを形成することによって、適度の耐久性を持つように形成してもよい。ブランケットに不正にインクが塗布されるのを回避するために、連続するステンシル間においてベルトに間隔を導入することが必要とされることが認められるだろう。これは、ステンシルに代えて、エンボスパターンまたは印刷版が設けられている箇所では必要ではない。
【００６４】
延長されたパターンのベルトを使用するこの手法は、単一の生産ライン内で印刷できる、異なるパターンの数を有効に増加させる。先に説明した「速度可変」の装置および工程とは対照的に、連続ベルトの使用は、速度変更を全く必要としない。
【００６５】
（選択的なインク除去）
しかし、別の代替装置およびプロセスでは、選択的にブランケットからインクを取り除くための機構の使用が含まれる。これは図１５に図示される。インク・ステーションの１つまたはそれ以上が、例えば、各ブランケット上で、特定の領域にわたり単一色を生産すると仮定する。他の領域では、缶に転写される第１の画像によってインクが塗布される。この装置は、インクの多様なパターンを、これらの特定領域それぞれから取り除くように構成される、インク除去ステーション（５０）を含んでいる。図示されるように、インク除去ステーション（５０）は、その下部表面上に印刷されるか、あるいは粘着性のパターン（５２）が形成される、有効に連続する（あるいは少なくとも非常に長い）リボン（５１）を含む。各粘着性のパターンは、印刷によって、あるいは、リボン上に接着剤を塗ることによって、形成されてもよい。ローラ機構（図示せず）が、インク除去ステーション（５０）に組み込まれ、このステーションを通じてリボンを引っ張り、ブランケットがインク除去ステーションを通過するときに、リボンの下部表面をブランケットに接触させる。粘着性のパターンと接触する箇所で、インクがブランケットから取り除かれる。かなり多数の粘着性のパターンを、リボンに沿って「印刷」することが可能であり、同様に、非常に多くの異なる第２の画像が缶装飾装置を通過する際に、缶の上に印刷されることが可能になることが認められるであろう。
【００６６】
本発明の範囲から逸脱することなく、前述の実施形態に対し様々な変更をなし得ることは、当業者であれば認めるところであろう。
【図１】
2018199331.tif 000003
【図２】
2018199331.tif 000004
【図３】
2018199331.tif 000005
【図４】
2018199331.tif 000006
【図５】
2018199331.tif 000007
【図６】
2018199331.tif 000008
【図７】
2018199331.tif 000009
【図８】
2018199331.tif 000010
【図９】
2018199331.tif 000011
【図１０】
2018199331.tif 000012
【図１１】
2018199331.tif 000013
【図１２】
2018199331.tif 000014
【図１３】
2018199331.tif 000015
【図１４】
2018199331.tif 000016
【図１５】
2018199331.tif 000017
【手続補正書】
【提出日】平成30年7月21日(2018.7.21)
【手続補正１】
【補正対象書類名】特許請求の範囲
【補正対象項目名】全文
【補正方法】変更
【補正の内容】
【特許請求の範囲】
【請求項１】
印刷領域へ缶胴体を搬送するための缶胴体搬送機構；
複数のブランケット区画と、各ブランケット区画に取り外し可能に装着される、印刷面を有するブランケットとを含むブランケットホイールであって、前記印刷領域内でブランケット印刷面を缶胴体と接触させるように構成されたブランケットホイール；および
複数のインクステーションであって、それぞれが、印刷面へインク画像を付与するために、通過するブランケットの印刷面と接触するように構成された印刷版を含み、第1のインク画像が、各ブランケット印刷面上に合成インク画像として形成されるとともに、印刷領域内でブランケット印刷面と缶胴体とが接触するときに缶胴体上に印刷されるように構成されたインクステーションを含み、
各ブランケットは、その印刷面上に、ブランケットが接触する缶胴体に転写される第２の画像を表わす表面高さ変化をともなう領域を持ち、
各ブランケット区画は、表面高さ変化をともなうブランケットの領域がブランケットに転写された第１のインク画像に対して正確に配列されるように、ブランケットがブランケット区画上に位置させることができる整列機能が付与されていることを特徴とする装置。
【請求項２】
前記整列機能は、ブランケット区画上の罫書き線または、マークを含む、請求項１に記載の装置。
【請求項３】
前記整列機能は、ブランケットの４つの角のそれぞれに対応するマークを含む、請求項２に記載の装置。
【請求項４】
前記整列機能は、区画表面上に投射されるレーザー光の発振されるビームをさらに含む、請求項１に記載の装置。
【請求項５】
前記整列機能は、接着性を有する網状のブランケットの層に穿孔を形成する、浅浮彫りの位置決めピンによって提供される、請求項１に記載の装置。
【請求項６】
前記整列機能は、磁気領域または磁場によって提供される、請求項１に記載の装置。
【請求項７】
前記整列機能は、整列装置によって提供され、
前記整列装置は、ブランケット区画に着脱可能に装着され、且つ整列表面を含み、
前記ブランケットは、整列表面に対して位置決めすることが可能である、請求項１に記載の装置。
【請求項８】
整列表面は単一の縁部を備え、その後方縁部とブランケット区画の機体側面とにおいてブランケットが支持され、ブランケットは、後方縁部にぴったり合致し、その側方位置が整列装置の成形されたバーによって決定される、請求項７に記載の装置。
【請求項９】
前記整列装置はダブルの縁部を備え、その後方縁部と区画の機体側面とにおいてブランケットが支持され、ブランケットは両方の縁部とぴったり合致する、請求項７に記載の装置。
【請求項１０】
前記整列装置は無縁状であり、その後方部および区画の機体側面からブランケットが離れて支持され、ブランケットのタイミングおよび側方位置の両者が、整列装置の成形されたバー／停止部によって決定される、請求項７に記載の装置。
【請求項１１】
請求項１乃至１０のいずれか１項に記載の装置を構成する方法であって、
表面高さ変化をともなうブランケットの領域がブランケットに転写された第１のインク画像に対して正確に配列されるように、それぞれのブランケット区画上の各ブランケットを位置決めする整列機能を使用する工程を含む、方法。
【手続補正２】
【補正対象書類名】図面
【補正対象項目名】図６
【補正方法】変更
【補正の内容】
【図６】
2018199331.tif 000018
【手続補正３】
【補正対象書類名】図面
【補正対象項目名】図９
【補正方法】変更
【補正の内容】
【図９】
2018199331.tif 000019
【外国語明細書】
2018199331000001.pdf